(57)【要約】      （修正有）【課題】  画面周辺での解像度を向上させた投写型の陰極線管装置を提供する。【解決手段】  カソード、第１電極Ｇ１、第２電極Ｇ２、集束電極、陽極Ｇ５とからなる電子銃であり、集束電極は、管軸に沿って第３電極Ｇ３と第１の第４電極Ｇ４Ａからなる第１集束電極群と、第２の第４電極Ｇ４Bと陽極Ｇ５とからなる第２集束電極群とに分割されており、両集束電極群の対向電極である第１の第４電極Ｇ４Ａと第２の第４電極Ｇ４Bの間に４重極レンズが形成されている。第１集束電極群を構成する第１の第４電極Ｇ４Ａには、第１の固定集束電圧Ｖｆ１に偏向量の増大に同期して増加する第１のダイナミックdＶｆ１が重畳された第１の集束電圧（Ｖｆ１＋dＶｆ１）が印加され、第２集束電極群を構成する第２の第４電極Ｇ４Bには、第２の固定集束電圧Ｖｆ２に偏向量の増大に同期して増加する第２のダイナミックdＶｆ２が重畳された第２の集束電圧（Ｖｆ２＋dＶｆ２）が印加されている。【選択図】  図１
2006253051.tif 000002
【特許請求の範囲】
【請求項１】
内面に蛍光体層が形成されて画面を構成するフェースプレート部と、前記フェースプレート部に接続された大径端を一端に有し、他端がネック部を形成する如く漸次径小となる遷移領域に連接したネック部を有するファンネル部からなる真空外囲器を備え、前記ネック部の内部に電子銃を収納すると共に前記ネック部の外部に偏向装置を装着した陰極線管装置であって、
前記電子銃は、管軸に沿って配列された複数の電極で構成されており、前記複数の電極は、電子流を生成する３極部と、前記３極部で生成された電子流を集束し加速して電子ビームとして前記蛍光体層に射突させるための主レンズを構成する集束電極と陽極とからなり、
前記集束電極は、管軸に沿って第１集束電極群と第２集束電極群とに分割されて、両集束電極群の対向電極間に４重極レンズが形成されており、
前記第１集束電極群には、第１の固定集束電圧Ｖｆ１に偏向量の増大に同期して増加する第１のダイナミックdＶｆ１が重畳された第１の集束電圧（Ｖｆ１＋dＶｆ１）が印加され、前記第２集束電極群には、第２の固定集束電圧Ｖｆ２に偏向量の増大に同期して増加する第２のダイナミックdＶｆ２が重畳された第２の集束電圧（Ｖｆ２＋dＶｆ２）が印加されており、
前記４重極レンズは、前記第１集束電極群と前記第２集束電極群の対向電極間で第２の固定集束電圧Ｖｆ２が第１の固定集束電圧Ｖｆ１よりも高いときに電子ビームの走査方向に対して直交する方向に発散し、電子ビームの走査方向に対し平行な方向に集束する電界を生成することを特徴とする陰極線管装置。
【請求項２】
前記画面中央部では、前記第１の集束電圧（Ｖｆ１＋dＶｆ１）＝前記第２の集束電圧（Ｖｆ２＋dＶｆ２）、前記画面中央部の垂直方向（１２時―６時方向）に電子ビームを偏向したときには、前記第１の集束電圧（Ｖｆ１＋dＶｆ１）＞前記第２の集束電圧（Ｖｆ２＋dＶｆ２）、前記画面中央部の水平方向（３時―９時方向）に電子ビームを偏向したときには、前記第１の集束電圧（Ｖｆ１＋dＶｆ１）＜前記第２の集束電圧（Ｖｆ２＋dＶｆ２）、前記画面コーナ部（２時、４時、８時、１０時）に電子ビームを偏向したときには、前記第１の集束電圧（Ｖｆ１＋dＶｆ１）＞前記第２の集束電圧（Ｖｆ２＋dＶｆ２）の関係で作用する電界を生成する如く前記第１の固定集束電圧Ｖｆ１と前記第２の固定集束電圧Ｖｆ２のそれぞれを偏向量の増大に同期させて増加させる４重極集束電圧発生回路を備えたことを特徴とする請求項１に記載の陰極線管装置。
【請求項３】
内面に蛍光体層が形成されて画面を構成するフェースプレート部と、前記フェースプレート部に接続された大径端を一端に有し、他端がネック部を形成する如く漸次径小となる遷移領域に連接したネック部を有するファンネル部からなる真空外囲器を備え、前記ネック部の内部に電子銃を収納すると共に前記ネック部の外部に偏向装置を装着した陰極線管装置装置であって、
前記電子銃は、管軸に沿って配列された複数の電極で構成されており、前記複数の電極は、電子流を生成する３極部と、前記３極部で生成された電子流を集束し加速して電子ビームとして前記蛍光体層に射突させるための主レンズを構成する集束電極と陽極とからなり、
前記集束電極は、管軸に沿って前記３極部側から前記陽極側に、第１集束電極、第２集束電極、第３集束電極、第４集束電極に分割され、
前記第１集束電極には前記陽極と同じ電圧が印加され、前記第２集束電極と前記第４集束電極には基準の固定集束電圧Ｖｆ０に偏向量の増大に同期して増加する基準のダイナミックdＶｆ０が重畳された基準の集束電圧（Ｖｆ０＋dＶｆ０）が印加され、
前記第３集束電極は、１２時―６時方向で電子銃軸を挟んで対向する第３−１集束電極と第３−５集束電極、２時―８時方向で電子銃軸を挟んで対向する第３−２集束電極と第３−６集束電極、３時―９時方向で電子銃軸を挟んで対向する第３−３集束電極と第３−７集束電極、４時―１０時方向で電子銃軸を挟んで対向する第３−４集束電極と第３−８集束電極の４つの電極対に分割されて、各電極対は独立して異なる集束電圧が印加される如く各電極対ごとに接続されていることを特徴とする陰極線管装置。
【請求項４】
前記第３−１集束電極と第３−５集束電極の電極対には第１の固定集束電圧Ｖｆ１に偏向量の増大に同期して増加する第１のダイナミックdＶｆ１が重畳された基準の集束電圧（Ｖｆ１＋dＶｆ１）を印加し、
前記第３−２集束電極と第３−６集束電極の電極対には第２の固定集束電圧Ｖｆ２に偏向量の増大に同期して増加する第２のダイナミックdＶｆ２が重畳された基準の集束電圧（Ｖｆ２＋dＶｆ２）を印加し、
前記第３−３集束電極と第３−７集束電極の電極対には第３の固定集束電圧Ｖｆ３に偏向量の増大に同期して増加する第３のダイナミックdＶｆ３が重畳された基準の集束電圧（Ｖｆ３＋dＶｆ３）を印加し、
前記第３−４集束電極と第３−８集束電極の電極対には第４の固定集束電圧Ｖｆ４に偏向量の増大に同期して増加する第４のダイナミックdＶｆ４が重畳された基準の集束電圧（Ｖｆ４＋dＶｆ４）を印加し、
前記電子ビームが画面の１２時―６時方向に偏向されたときには、前記第３−１集束電極と第３−５集束電極の電極対に他の電極対よりも低い電圧を印加し、
前記電子ビームが画面の３時―９時方向に偏向されたときには、前記第３−３集束電極と第３−７集束電極の電極対に他の電極対よりも低い電圧を印加し、
前記電子ビームが画面のコーナ部に偏向されたときには、前記第３−２集束電極と第３−６集束電極の電極対と前記第３−４集束電極と第３−８集束電極の電極対に他の電極対よりも低い電圧を印加し、かつ前記第３−２集束電極と第３−６集束電極の電極対と前記第３−４集束電極と第３−８集束電極の電極対の前記コーナ部に電子ビームが偏向される方の電極対と直交する電極対には他の電極対よりも低い電圧を印加する集束電極制御回路を備えたことを特徴とする請求項３に記載の陰極線管。
【発明の詳細な説明】
【技術分野】
【０００１】
本発明は、陰極線管装置に係り、特に画面周辺部での電子ビールの射突形状の変形を補正して解像度を向上した投写型の陰極線管装置に好適なものである。
【背景技術】
【０００２】
投写型の陰極線管装置を用いた投写型テレビジョン装置がある。投写型テレビジョン装置は、緑色画像用，青色画像用及び赤色画像用の３本の投写型陰極線管を映写スクリーンから所定距離だけ離れた位置に配置し、３本の投写型の陰極線管装置のフェースプレートに表示された再生画像を投写レンズを通して映写スクリーン上に重ね合わせて投写表示する。
【０００３】
この種の陰極線管装置は、画面を構成するフェースプレートを有するパネル部と、内部に電子銃を収納する細長い円筒状のネック部と、パネル部とネック部とを連接するファンネル部とからなるガラスを好適とする絶縁性の真空外囲器で構成され、ネック部の外部に偏向装置を装着している。なお、この種の陰極線管装置に関する従来技術を開示したものとしては、特許文献１、特許文献２を挙げることができる。
【特許文献１】特開昭６２−８４２３号公報
【特許文献２】特開２００１−２３５３９号公報
【発明の開示】
【発明が解決しようとする課題】
【０００４】
この種の陰極線管装置では、そのパネル部のフェースプレート内面に蛍光体層を有する。電子銃から出射する高密度の電子線（電子ビーム）は、偏向装置を構成する偏向ヨーク（偏向コイルを含む）で形成される垂直及び水平偏向磁界で画面の２方向に偏向され、蛍光体層上を二次元走査される。電子ビームが蛍光体層に射突したことによって画面上に形成される光像を投写レンズ系で映写スクリーン上に拡大投影する。
【０００５】
また、この陰極線管装置では、画面周辺での電子ビームの射突形状（スポット形状）が１２時―６時方向で縦長、３時―９時方向で横長に変形する。また、画面のコーナ部では斜めに縦長となる変形が起こる。その結果、画面周辺での解像度を向上させることが課題の一つとなっていた。本発明の目的は、画面周辺での解像度を向上させた投写型の陰極線管装置を提供することにある。
【課題を解決するための手段】
【０００６】
上記目的を達成するために、本発明による陰極線管装置は、電子銃を電子流を生成する３極部と、前記３極部で生成された電子流を集束し加速して電子ビームとして蛍光体層に射突させるための主レンズを構成する集束電極と陽極とから構成する。集束電極を管軸に沿って第１集束電極群と第２集束電極群とに分割し、両集束電極群の対向電極間に４重極レンズを形成する。
【０００７】
そして、第１集束電極群には第１の固定集束電圧Ｖｆ１に偏向量の増大に同期して増加する第１のダイナミックdＶｆ１が重畳された第１の集束電圧（Ｖｆ１＋dＶｆ１）を印加し、第２集束電極群には第２の固定集束電圧Ｖｆ２に偏向量の増大に同期して増加する第２のダイナミックdＶｆ２が重畳された第２の集束電圧（Ｖｆ２＋dＶｆ２）を印加する。
【０００８】
４重極レンズは、第１集束電極群と第２集束電極群の対向電極間で第２の固定集束電圧Ｖｆ２が第１の固定集束電圧Ｖｆ１よりも高いときに電子ビームの走査方向に対して直交する方向に発散し、電子ビームの走査方向に対し平行な方向に集束する電界を生成する。
【０００９】
また、本発明は、集束電極を管軸に沿って３極部側から前記陽極側に、第１集束電極、第２集束電極、第３集束電極、第４集束電極に分割し、第１集束電極には陽極と同じ電圧を印加し、第２集束電極と前記第４集束電極には基準の固定集束電圧Ｖｆ０に偏向量の増大に同期して増加する基準のダイナミックdＶｆ０が重畳された基準の集束電圧（Ｖｆ０＋dＶｆ０）を印加する。
【００１０】
第３集束電極を１２時―６時方向で電子銃軸を挟んで対向する第３−１集束電極と第３−５集束電極、２時―８時方向で電子銃軸を挟んで対向する第３−２集束電極と第３−６集束電極、３時―９時方向で電子銃軸を挟んで対向する第３−３集束電極と第３−７集束電極、４時―１０時方向で電子銃軸を挟んで対向する第３−４集束電極と第３−８集束電極の４つの電極対に分割し、各電極対は独立して異なる集束電圧が印加される如く各電極対ごとに接続する。
【００１１】
そして、第３−１集束電極と第３−５集束電極の電極対には第１の固定集束電圧Ｖｆ１に偏向量の増大に同期して増加する第１のダイナミックdＶｆ１が重畳された基準の集束電圧（Ｖｆ１＋dＶｆ１）を印加する。
【００１２】
第３−２集束電極と第３−６集束電極の電極対には第２の固定集束電圧Ｖｆ２に偏向量の増大に同期して増加する第２のダイナミックdＶｆ２が重畳された基準の集束電圧（Ｖｆ２＋dＶｆ２）を印加する。
【００１３】
第３−３集束電極と第３−７集束電極の電極対には第３の固定集束電圧Ｖｆ３に偏向量の増大に同期して増加する第３のダイナミックdＶｆ３が重畳された基準の集束電圧（Ｖｆ３＋dＶｆ３）を印加する。
【００１４】
第３−４集束電極と第３−８集束電極の電極対には第４の固定集束電圧Ｖｆ４に偏向量の増大に同期して増加する第４のダイナミックdＶｆ４が重畳された基準の集束電圧（Ｖｆ４＋dＶｆ４）を印加する。
【００１５】
電子ビームが画面の１２時―６時方向に偏向されたときには、第３−１集束電極と第３−５集束電極の電極対に他の電極対よりも低い電圧を印加する。
【００１６】
電子ビームが画面の３時―９時方向に偏向されたときには、第３−３集束電極と第３−７集束電極の電極対に他の電極対よりも低い電圧を印加する。
【００１７】
電子ビームが画面のコーナ部に偏向されたときには、第３−２集束電極と第３−６集束電極の電極対と第３−４集束電極と第３−８集束電極の電極対に他の電極対よりも低い電圧を印加し、かつ第３−２集束電極と第３−６集束電極の電極対と前記第３−４集束電極と第３−８集束電極の電極対のコーナ部に電子ビームが偏向される方の電極対と直交する電極対には他の電極対よりも低い電圧を印加する。
【発明の効果】
【００１８】
本発明によれば、画面周辺部での電子ビームの変形と所謂像面湾曲が同時に補正され、画面全域で良好な集束特性が得られる。
【発明を実施するための最良の形態】
【００１９】
以下、本発明の具体的な実施の形態について、実施例の図面を参照して詳細に説明する。
【実施例１】
【００２０】
図１は、本発明の陰極線管装置の実施例１を説明する電子銃の電極配置の説明図である。また、図２は、図１の電子銃の集束電極に４重極レンズを形成する電極開口形状を説明する図である。この電子銃は、管軸に沿って配列された複数の電極で構成されており、カソードKと第１電極Ｇ１および第２電極Ｇ２で電子流を生成する３極部を構成する。
【００２１】
３極部で生成された電子流は、第３電極Ｇ３と第１の第４電極Ｇ４Ａおよび第２の第４電極Ｇ４Bからなる集束電極と、第５電極である陽極Ｇ５で集束し加速されて電子ビームとして蛍光体層に射突させる。第２の第４電極Ｇ４Bと陽極Ｇ５の対向部に主レンズが形成される。
【００２２】
言い換えれば、集束電極は、管軸に沿って第３電極Ｇ３と第１の第４電極Ｇ４Ａからなる第１集束電極群と、第２の第４電極Ｇ４Bと陽極Ｇ５とからなる第２集束電極群とに分割されており、両集束電極群の対向電極である第１の第４電極Ｇ４Ａと第２の第４電極Ｇ４Bの間に４重極レンズが形成されている。
【００２３】
図３は、集束電圧の波形を説明する図である。第１集束電極群を構成する第１の第４電極Ｇ４Ａには、第１の固定集束電圧Ｖｆ１に偏向量の増大に同期して増加する第１のダイナミックdＶｆ１が重畳された第１の集束電圧（Ｖｆ１＋dＶｆ１）が印加され、第２集束電極群を構成する第２の第４電極Ｇ４Bには、第２の固定集束電圧Ｖｆ２に偏向量の増大に同期して増加する第２のダイナミックdＶｆ２が重畳された第２の集束電圧（Ｖｆ２＋dＶｆ２）が印加されている。
【００２４】
図２に示したように、４重極レンズは、第１集束電極群を構成する第１の第４電極Ｇ４Ａと第２集束電極群を構成する第２の第４電極Ｇ４Bの対向電極間に形成される。第１の第４電極Ｇ４Ａの第２の第４電極Ｇ４B側には電子ビームの走査方向に平行な方向（Ｈ−Ｈ方向）に長軸を持つ横長矩形開口ＡＰ１が形成され、第２の第４電極Ｇ４Bの第１の第４電極Ｇ４Ａ側には電子ビームの走査方向に垂直な方向（Ｖ−Ｖ方向）に長軸を持つ縦長矩形開口ＡＰ２が形成されている。
【００２５】
４重極レンズは横長矩形開口ＡＰ１と縦長矩形開口ＡＰ２で形成され、第２の固定集束電圧Ｖｆ２が第１の固定集束電圧Ｖｆ１よりも高いときに電子ビームの走査方向に対して直交する方向に発散し、電子ビームの走査方向に対し平行な方向に集束する電界を生成する。そして、この実施例１では４重極集束電圧発生回路を備えている。
【００２６】
図４は、４重極集束電圧発生回路を備えた偏向回路の説明図である。この偏向回路は、垂直偏向コイルＤVと水平偏向コイルDHに偏向電圧（電流）を供給する偏向信号発生回路ＤＦＵと、４重極集束電圧発生回路ＶＦＱで構成される。４重極集束電圧発生回路ＶＦＱは（Ｖｆ１＋dＶｆ１）と（Ｖｆ２＋dＶｆ２）を生成する。
【００２７】
４重極集束電圧発生回路ＶＦＱは、画面中央部では、第１の集束電圧と第２の集束電圧は等しい（（Ｖｆ１＋dＶｆ１）＝（Ｖｆ２＋dＶｆ２））。画面中央部の垂直方向（１２時―６時方向）に電子ビームを偏向したときには、第１の集束電圧（Ｖｆ１＋dＶｆ１）＞前記第２の集束電圧（Ｖｆ２＋dＶｆ２）とする。画面中央部の水平方向（３時―９時方向）に電子ビームを偏向したときには、第１の集束電圧（Ｖｆ１＋dＶｆ１）＜前記第２の集束電圧（Ｖｆ２＋dＶｆ２）、画面コーナ部（２時、４時、８時、１０時）に電子ビームを偏向したときには、第１の集束電圧（Ｖｆ１＋dＶｆ１）＞第２の集束電圧（Ｖｆ２＋dＶｆ２）の関係で作用する電界を生成する如く第１の固定集束電圧Ｖｆ１と第２の固定集束電圧Ｖｆ２のそれぞれを偏向量の増大に同期させて増加させるように、集束電圧を発生する。
【００２８】
この実施例１の構成により、電子ビームを画面１２時―６時に偏向したときには、電子ビームの断面形状が横長に変形され、画面３時―９時に偏向したときには、電子ビームの断面形状が縦長に変形される。さらに、画面コーナ部に偏向したときには電子ビームの断面形状が横長に変形される。その結果、画面全域で良好な集束特性が得られ、画面上に高解像度の光像が得られる。同時に、画面周辺部では第１の第４電極Ｇ４Ａと第２集束電極群を構成する第２の第４電極Ｇ４Bの印加電圧の上昇により、主レンズ強度が弱まることから、像面湾曲も補正される。
【実施例２】
【００２９】
図５は、本発明の陰極線管装置の実施例２を説明する電子銃の電極配置の説明図である。また、図６は、図５の電子銃の集束電極の要部構成を説明する図である。この電子銃は、管軸に沿って配列された複数の電極で構成されており、カソードKと第１電極Ｇ１および第２電極Ｇ２で電子流を生成する３極部を構成する。
【００３０】
３極部で生成された電子流は、第３電極Ｇ３と第１の第４電極Ｇ４Ａおよび第２の第４電極Ｇ４Bおよび第３の第４電極Ｇ４Cからなる集束電極と、第５電極である陽極Ｇ５で集束し加速されて電子ビームとして蛍光体層に射突させる。第２の第４電極Ｇ４Bと陽極Ｇ５の対向部に主レンズが形成される。
【００３１】
第３の第４電極Ｇ４Cは、電子銃の周囲に８分割され、電子ビームを挟んで対向する集束電極で対を形成する。第１集束電極Ｇ３には陽極Ｇ５と同じ電圧Ｅｂが印加され、第１の第４電極Ｇ４Ａと第２の第４電極Ｇ４Bには基準の固定集束電圧Ｖｆ０に偏向量の増大に同期して増加する基準のダイナミックdＶｆ０が重畳された基準の集束電圧（Ｖｆ０＋dＶｆ０）が印加される。
【００３２】
すなわち、第３集束電極は、１２時―６時方向で電子銃軸を挟んで対向する第３−１集束電極Ｇ４Ｃ−１と第３−５集束電極Ｇ４Ｃ−５、２時―８時方向で電子銃軸を挟んで対向する第３−２集束電極Ｇ４Ｃ−２と第３−６集束電極Ｇ４Ｃ−６、３時―９時方向で電子銃軸を挟んで対向する第３−３集束電極Ｇ４Ｃ−３と第３−７集束電極Ｇ４Ｃ−７、４時―１０時方向で電子銃軸を挟んで対向する第３−４集束電極Ｇ４Ｃ−４と第３−８集束電極Ｇ４Ｃ−８の４つの電極対に分割されている。各電極対は独立して異なる集束電圧が印加される如く各電極対ごとに接続されている。
【００３３】
第３−１集束電極Ｇ４Ｃ−１と第３−５集束電極Ｇ４Ｃ−５の電極対には第１の固定集束電圧Ｖｆ１に偏向量の増大に同期して増加する第１のダイナミックdＶｆ１が重畳された基準の集束電圧（Ｖｆ１＋dＶｆ１）が印加される。
【００３４】
第３−２集束電極Ｇ４Ｃ−２と第３−６集束電極Ｇ４Ｃ−６の電極対には第２の固定集束電圧Ｖｆ２に偏向量の増大に同期して増加する第２のダイナミックdＶｆ２が重畳された基準の集束電圧（Ｖｆ２＋dＶｆ２）が印加される。
【００３５】
第３−３集束電極Ｇ４Ｃ−３と第３−７集束電極Ｇ４Ｃ−７の電極対には第３の固定集束電圧Ｖｆ３に偏向量の増大に同期して増加する第３のダイナミックdＶｆ３が重畳された基準の集束電圧（Ｖｆ３＋dＶｆ３）が印加される。
【００３６】
第３−４集束電極Ｇ４Ｃ−４と第３−８集束電極Ｇ４Ｃ−８の電極対には第４の固定集束電圧Ｖｆ４に偏向量の増大に同期して増加する第４のダイナミックdＶｆ４が重畳された基準の集束電圧（Ｖｆ４＋dＶｆ４）が印加される。
【００３７】
電子ビームが画面の１２時―６時方向に偏向されたときには、第３−１集束電極Ｇ４Ｃ−１と第３−５集束電極Ｇ４Ｃ−５の電極対に他の電極対よりも低い電圧を印加し、電子ビームが画面の３時―９時方向に偏向されたときには、前記第３−３集束電極Ｇ４Ｃ−３と第３−７集束電極Ｇ４Ｃ−７の電極対に他の電極対よりも低い電圧が印加される。
【００３８】
図７は、集束電極制御回路を備えた偏向回路の説明図である。この偏向回路は、垂直偏向コイルＤVと水平偏向コイルDHに偏向電圧（電流）を供給する偏向信号発生回路ＤＦＵと、集束電極制御回路ＶＦＵで構成される。集束電極制御回路ＶＦＵは（Ｖｆ１＋dＶｆ１）、（Ｖｆ２＋dＶｆ２）、（Ｖｆ３＋dＶｆ３）、（Ｖｆ４＋dＶｆ４）を生成し、図６の対応する電極対に供給する。
【００３９】
集束電極制御回路ＶＦＵは、電子ビームが画面のコーナ部に偏向されたときには、第３−２集束電極Ｇ４Ｃ−２と第３−６集束電極Ｇ４Ｃ−６の電極対と第３−４集束電極Ｇ４Ｃ−４と第３−８集束電極Ｇ４Ｃ−８の電極対に他の電極対よりも低い電圧を印加し、かつ第３−２集束電極Ｇ４Ｃ−２と第３−６集束電極Ｇ４Ｃ−６の電極対と第３−４集束電極Ｇ４Ｃ−４と第３−８集束電極Ｇ４Ｃ−８の電極対のコーナ部に電子ビームが偏向される方の電極対と直交する電極対には他の電極対よりも低い電圧を印加する。
【００４０】
この実施例２の構成により、画面中央部では、上記８つの電極（４対の電極）で形成されるレンズは作用しないことから、略円形の電子ビーム形状が得られる。１２時―６時方向では、８つの電極で形成されるレンズは電子ビームを横長にする作用を及ぼすことから、１２時―６時方向の縦長変形が補正される。３時―９時方向では、このレンズは電子ビームを縦長にする作用を及ぼすことから、３時―９時方向の横長変形が補正される。電子ビームがコーナ部に偏向されたときは、電子ビームが斜め方向に変形され、前記した斜め方向の変形が補正される。
【００４１】
図８は、本発明を適用する投写型陰極線管装置の概略を説明する模式断面図である。図８において、ＰＮは画面（パネル部とも言う）、ＦＰはフェースプレート、ＮＣはネック部、ＦＮはファンネル部、ＰＨは蛍光面、ＰＨＬは蛍光体層、ＲＦは電子線を反射させる反射膜、ＡＬはアルミニウム蒸着膜、ＤＦは偏向ヨーク、ＧＮは電子銃、ＥＢは電子銃ＧＮから投射される電子線、ＰＲＴは投写型陰極線管全体を示す。
【００４２】
この投写型陰極線管ＰＲＴを構成するガラス製の真空外囲器（バルブ）は、大口径の透光性フェースプレートＦＰを有するパネル部ＰＮと、内部に電子銃ＧＮを収納した細長い円筒状のネック部ＮＣと、パネル部ＰＮとネック部ＮＣとを連接するファンネル部ＦＮとから構成される。
【００４３】
パネル部ＰＮは、フェースプレートＦＰの内面に形成された蛍光体層ＰＨＬ及び反射膜ＲＦの２層構造からなる蛍光面ＰＨと、この蛍光面ＰＨ上に形成されたアルミニウム膜ＡＬとを有している。
【００４４】
ここで、蛍光体層ＰＨＬは、投写型陰極線管ＰＲＴが緑色画像用投写型陰極線管であるときは緑色の単色蛍光膜を構成し、青色画像用投写型陰極線管であるときに青色の単色蛍光膜を構成し、赤色画像用投写型陰極線管であるときに赤色の単色蛍光膜を構成する。
【００４５】
反射膜ＲＦは、フェースプレートＦＰの内面と蛍光体層ＰＨＬとの間に設けられ、電子銃ＧＮから投射された電子線ＥＢに対して高い反射特性を示すように構成されている。また、この反射膜ＲＦは、例えば平均膜厚が約０．２μｍの酸化ビスマス（Bi2O3）の金属化合物の薄膜である。ネック部NCとファンネル部FNとの連接部分の外側には、偏向ヨークDFが装着され、電子銃GNから放射された１本の電子線EBは、偏向ヨークDFで所定の方向に走査偏向された後、蛍光面PNに衝突する。
【００４６】
図９は、本発明による投写型陰極線管を用いた映像表示装置の一例を説明する正面図であり、図１０は図９の映像表示装置の内部配置例の説明図である。そして、図１１は、３色画像の重ね合わせの概念図である。図９及び図１０は、所謂投写型テレビ受像機であり、その内部には図１１に示すような赤用の投写型陰極線管ｒＰＲＴ，緑用の投写型陰極線管ｇＰＲＴ及び青用の投写型陰極線管ｂＰＲＴと、投写レンズＬＮＳと、反射ミラーＭＩＲとが収納されている。なお、参照符号ＣＰＬは投写型陰極線管ＰＲＴに投写レンズＬＭＳを取り付けるためのカップリングである。
【００４７】
３本の投写型陰極線管ＰＲＴのパネルＰＮＬに有する蛍光体層に作像された各原色に色映像は、投写レンズＬＮＳと反射ミラーＭＩＲとでスクリーンＳＣＲに投影される。投影された各原色に色映像は、前記の投影時にスクリーンＳＣＲで合成されてカラー映像が再生される。なお、図９及び図１０に示した映像表示装置は、あくまで一例であり、投写型陰極線管ＰＲＴの部分をスクリーンＳＣＲとは別装置として分離したものである。
【図面の簡単な説明】
【００４８】
【図１】本発明の陰極線管装置の実施例１を説明する電子銃の電極配置の説明図である。
【図２】図１の電子銃の集束電極に４重極レンズを形成する電極開口形状を説明する図である。
【図３】集束電圧の波形を説明する図である。
【図４】４重極集束電圧発生回路を備えた偏向回路の説明図である。
【図５】本発明の陰極線管装置の実施例２を説明する電子銃の電極配置の説明図である。
【図６】図５の電子銃の集束電極の要部構成を説明する図である。
【図７】集束電極制御回路を備えた偏向回路の説明図である。
【図８】本発明を適用する投写型陰極線管装置の概略を説明する模式断面図である。
【図９】本発明による投写型陰極線管を用いた映像表示装置の一例を説明する正面図である。
【図１０】図９の映像表示装置の内部配置例の説明図である。
【図１１】３色画像の重ね合わせの概念図である。
【符号の説明】
【００４９】
K・・・カソード、Ｇ１・・・第１電極、Ｇ２・・・第２電極、Ｇ３・・・第３電極、Ｇ４Ａ・・・第１の第４電極、Ｇ４B・・・第２の第４電極、Ｇ５・・・第５電極。
【図１】
2006253051.tif 000003
【図２】
2006253051.tif 000004
【図３】
2006253051.tif 000005
【図４】
2006253051.tif 000006
【図５】
2006253051.tif 000007
【図６】
2006253051.tif 000008
【図７】
2006253051.tif 000009
【図８】
2006253051.tif 000010
【図９】
2006253051.tif 000011
【図１０】
2006253051.tif 000012
【図１１】
2006253051.tif 000013